(57)【要約】      （修正有）【課題】収納体のコストをアップさせることなく、ポケットティッシュそのものの剛性を高めることで携帯性を高め、また、取り出しと同時に使用可能なポケットティッシュを提供する。【解決手段】四辺形を呈する紙片における向かいあう一方の辺を曲げて、他方の向かいあう辺同士を重ねるように２つ折りし、前記他方の向かいあう辺を一定の間隔で分割した大きさで、かつ、前記一方の向かいあう辺に平行になるように折り、前記折りは、交互に山折り、谷折り、あるいは、交互に谷折り、山折りにして折るという手段を講じる。【選択図】図３
0003179026.tif 000002
【実用新案登録請求の範囲】
【請求項１】
四辺形を呈する紙片における向かいあう一方の辺を曲げて、他方の向かいあう辺同士を重ねるように２つ折りし、前記他方の向かいあう辺を一定の間隔で分割した大きさで、かつ、前記一方の向かいあう辺に平行になるように折り、前記折りは、交互に山折り、谷折り、あるいは、交互に谷折り、山折りにして折ることを特徴とするポケットテイッシュ
【請求項２】
ポケットテイッシュの上部に取り出し部を設けることを特徴とする請求項１記載のポケットテイッシュ
【請求項３】
請求項１または請求項２記載のポケットテイッシュを、複数積み重ねたポケットテイッシュ積層体とし、前記ポケットテイッシュ積層体を収納体に収納することを特徴とするポケットテイッシュ積層体入り収納体
【考案の詳細な説明】
【技術分野】
【０００１】
本考案は、ポケットテイッシュに関するものである。
【背景技術】
【０００２】
従来のポケットテイッシュは、紙片を一定の大きさになるように折り畳まれて収納体に収納している。その大きさは、レギュラーサイズとスクエアタイプ呼ばれるものがあり、レギュラーサイズと呼ばれるものはほぼ縦横の寸法が１２０×８０ミリメートルになるように折り畳まれ、それを複数重ねた状態で収納体に収納されている。また、スクエアタイプと呼ばれるものは紙片をほぼ縦横の寸法が１２０×１１０ミリメートルになるように折り畳まれ、その折り畳まれた紙片を複数重ねた状態で収納体に収納されている。このような寸法としたのは、一定の携帯性が要求されているためである。
【０００３】
なおここでは紙片としているが、通常ポケットテイッシュは２枚１組である。非常に薄くできているため使用に耐えられるようにするためである。さらに、複数としたのは、一般的には使用目的によってその紙片を６紙片、８紙片、あるいは１０紙片程度重ねた状態で収納体に収納されているものが存在している。従って１紙片を２枚１組とすると都合１２枚、１６枚、２０枚となる。尚、ポケットテイッシュは現在では広告宣伝媒体として使用する場合が多く、使用目的、コストなどによってその紙片の数を選択することができる。すなわち、１枚を１紙片としてもよいし、２枚１組を１紙片とするか、または、３枚１組を１紙片とするかあるいはそれ以上でもよい。
【０００４】
このように、従来のポケットテイッシュは比較的携帯性を重視するものであるから、前記複数の紙片を折り畳んで収納しているが、その折り畳み方は使用状況を考慮したものとは云えず、収納体から出したままの状態で使用するには不便であるので、１度完全に広げてから、使用しやすいように再び折り畳み直しをしていた。
【０００５】
例えば、鼻をかんだりするために使用する場合、収納体から取り出した状態のままでは使用することが不便であり、多くの使用者が、一度完全に拡げてから、例えば二つ折りして使用するという実情である。また、収納体からポケットテイッシュを複数取り出すと、収納体の形状が変形して、残りのポケットテイッシュが皺状になり、最後まで使用することが不便であった。
【０００６】
これを解決するものとして、特開２００４−８３１０６号公報に記載されているように、収納体の剛性をアップさせるというものとして、束ねたティッシュ２と、ティッシュ２を包む扁平で四角形の袋３と、ティッシュ２を取り出すために袋３の上面に設けた取出口４とを備えており、袋３を構成する袋基材５が、ティッシュ２の下面側を受ける下面部６と、下面部６の前方に連なってティッシュ２の上面前方部分を覆う前方上面部７と、下面部６の後方に連なってティッシュ２の上面後方部分を覆う後方上面部８とを有するものである。しかしながらこのようは物だと収納体のコストがかさむものとなるのみならず、テイッシュを収納体から取り出したとしても、完全に展開したうえで再び使用するのに好適な状態に折り畳むと言う問題を解消することができず不便であった。
【０００７】
【特許文献１】特開２００４−８３１０６号公報
【考案の開示】
【考案が解決しようとする課題】
【０００８】
本考案の課題は、このようなものを解決する手段として、収納体のコストをアップさせることなく、ポケットテイッシュそのものの剛性を高めることを目的とする。また、取り出しと同時に使用可能なポケットテイッシュを提供することを目的とする。また従来のポケットテイッシュよりも、意匠性に富むものであることを目的とする。
【課題を解決するための手段】
【０００９】
前記の課題を解決するため、本考案は、四辺形を呈する紙片における向かいあう一方の辺を曲げて、他方の向かいあう辺同士を重ねるように２つ折りし、前記他方の向かいあう辺を一定の間隔で分割した大きさで、かつ、前記一方の向かいあう辺に平行になるように折り、前記折りは、交互に山折り、谷折り、あるいは、交互に谷折り、山折りにして折るという手段を講じたものである。ここで四辺形とは正方形及び長方形を含むものである。
【００１０】
上記のように、きわめてコンパクトに折り畳まれたポケットテイッシュであるので、後述するようにそれを複数積層させると幅に対して厚みがあり、それを収納体に収納したとしても、比較的剛性が高く変形しにくいものである。従ってある程度使用して収納体に存在するポケットテイッシュが少なくなったとしても、従来のポケットテイッシュと相違し変形しにくいものである。
【００１１】
また、ポケットテイッシュを取り出す際に、交互に山折り、谷折り、あるいは  谷折り、山折りに折り曲げられており、いいかえれば、蛇腹状に折り畳まれているので、とり出したと同時に、その蛇腹状に折り畳まれた状態が展開し、四辺形を呈する紙片における向かいあう辺を曲げて、他の向かいあう辺同士を重ねるように２つ折りした状態のまま取り出すことができる。従って、例えば鼻をかむ場合において、２つ折りのままの状態で使用することができるので、従来のポケットテイッシュのように一度完全に拡げた状態から再度２つ折りして使用する必要がなくなる。尚、紙片とは、通常は２枚１組であるが、この枚数は任意であり、２枚１組に限られないことは云うまでもない。
【００１２】
前記の課題を解決するため、本考案は、上記ポケットテイッシュの上部に取り出し部を設けるという手段を講じたものである。
【００１３】
このように上記のとおり折り畳んだ状態で、ポケットテイッシュの上部に取り出し部を設けることで、ポケットテイッシュの取り出しが容易に行えることができる。従って不意にポケットテイッシュが必要となったときに迅速にポケットテイッシュを取り出すことができる。
【００１４】
本考案は、上記ポケットテイッシュを、複数積み重ねたポケットテイッシュ積層体とし、前記ポケットテイッシュ積層体を収納体に収納するという手段を講じたものである。
【００１５】
従来のポケットティッシュより幅が狭い状態に折り畳まれた状態で、収納体に複数積み重ねたポケットテイッシュ、すなわちポケットテイッシュ積層体が収納体に収納されているために、かさばることなく携帯することができ、ポケットテイッシュ積層体が収納されている収納体を複数持ち歩いても邪魔にならないものである。また従来のポケットテイッシュ積層体が収納されている収納体とは相違し、意匠性に富むものであるので、広告宣伝媒体としても好適である。
【考案の効果】
【００１６】
本考案は以上のように構成されかつ作用するものであり、収納体のコストをアップさせることなく、ポケットテイッシュそのものの剛性を高めることができる。また、取り出しと同時に使用可能なポケットテイッシュを提供することができる。また従来のポケットテイッシュよりも、意匠性に富むものを提供することができる。
【考案を実施するための最良の形態】
【００１７】
以下、図示の実施形態を参照して本考案をより詳細に説明する。図１は、紙片を２つ折りした状態の斜視図である。図２は、紙片を２つ折りした後さらに蛇腹状に折り畳む状態の図である。図３は、蛇腹状に折り畳んだ状態の斜視図である。図４はポケットテイッシュ積層体を、収納体に収納した斜視図である。
【００１８】
紙片１１を、短辺１２、１２と長辺１３、１３の併せて４辺のうち、２つの短辺１２、１２のほぼ中点１２ａ、１２ａ付近を通り、長辺１３、１３に対し平行に折ることで、長辺１３同士をほぼ重ね合わせて、２つ折りにする。その後、長辺１３を一定の間隔で分割した大きさｂ、かつ、短辺１２にほぼ平行に、下から山折り２０、谷折り３０の順で交互に折り畳んでいく。このように折り畳むと言わば蛇腹状に折り畳むことができる。またこの場合、短辺と長辺を入れ替えて、短辺同士をほぼ重ね合わせて、２つ折りにし、上記のとおり長辺にほぼ平行に、下から山折り、谷折りの順で交互に蛇腹状に折っても良い（図示せず）。さらに、長方形だけでなく正方形を含む四辺形を呈する紙片における向かいあう一方の辺を曲げて、他方の向かいあう辺同士を重ねるように２つ折りし、前記他方の向かいあう辺を一定の間隔で分割した大きさで、かつ、前記一方の向かいあう辺に平行になるように折ることができる。また、前記折りは、交互に山折り、谷折り、あるいは、交互に谷折り、山折りにして折るということも好ましい。尚、紙片１１は、通常は２枚１組で構成されているが、これに限られないことは云うまでもない。また、本実施例では計５回折り、大きさｂは、長辺１３をほぼ６等分にした大きさである。しかしこの大きさに限られず紙片の大きさ、顧客の好みによって折る数は増減することができる。
【００１９】
このように紙片１１を折り畳んでポケットテイッシュ１０とする。尚、この山折り２０、谷折り３０の順番はどちらでもよい。すなわち、下から谷折り３０、山折り２０の順で交互に折り畳んでいくのも好ましい。また上から折り畳んでもよい。
【００２０】
また、下から山折り２０、谷折り３０の順で、長辺を一定の間隔で分割した大きさｂで交互に折り畳み、最上部１１ａにおいてはさらに、前記長辺を一定の間隔で分割した大きさｂのおよそ半分の大きさｃで折る。この最終の折り４０は直前の折りが山折りの場合は谷折りとし、直前の折りが谷折りの場合は山折りとする。従って前記最終の折りを直前の折り３０のほぼ半分の大きさｃに折ることにより、取り出し部１５を形成することができる。また、短辺と長辺を入れ替えて、短辺同士をほぼ重ね合わせて、２つ折りにし、上記のとおり長辺にほぼ平行に、下から山折り、谷折りの順で交互に蛇腹状に折った場合においても同様に取り出し部を形成することができる（図示せず）。また、同様に長方形だけではなく方形を含む四辺形を呈する紙片における向かいあう一方の辺を曲げて、他方の向かいあう辺同士を重ねるように２つ折りし、前記他方の向かいあう辺を一定の間隔で分割した大きさで、かつ、前記一方の向かいあう辺に平行になるように折り、前記折りは、交互に山折り、谷折り、あるいは、交互に谷折り、山折りにして折った場合においても同様に取り出し部を形成することができる（図示せず）。
【００２１】
上記ポケットテイッシュ１０を、複数重ねた状態で、収納体５０に収納する。すなわちポケットテイッシュ積層体６０を収納体５０に収納する。収納体５０は上記ポケットテイッシュ積層体６０の形状とほぼ同様の形状であり、その上部には取り出し口５１が形成され、使用者は取り出し口５１に指を差し入れ、ポケットテイッシュ積層体６０の最上部に位置するポケットテイッシュ１０の取り出し部１５をつかむことによって紙片１１からなるポケットテイッシュ１０を取り出すことができる。尚、収納体５０は例えばビニールを加工して製作することができる。また、ポケットテイッシュ積層体６０における、ポケットテイッシュ１０が含まれる数は、６紙片、８紙片あるいは、１０紙片が好ましいがこれには限定されない。
【００２２】
取り出したポケットテイッシュ１０は、すでに述べたように、紙片における４辺のうち２つの短辺１２のほぼ中点１２ａ付近を通り、長辺１３に平行に折ることで、長辺１３同士を重ね合わせるように２つ折りにし、その後、長辺を一定の間隔で分割した大きさｂとなるようにして、短辺１２にほぼ平行に、下から山折り２０、谷折り３０の順で交互に言わば蛇腹状に折り畳まれているが、この蛇腹状の折り畳み部１８のみが展開されて、長辺１３同士を重ね合わせるように２つ折りにした状態のまま取り出せることができるため（図２参照）、その状態のまま使用することができる。従って従来ポケットテイッシュのように、折り畳まれているポケットテイッシュを一度完全に展開し、拡げたうえで、再び折り畳んで使用するといったことが無く、迅速に使用することができるため極めて便利である。なお、長辺１３同士を重ね合わせるように２つ折りにするものであるが、多少その折りがずれたとしても差し支えない。なお、短辺と長辺を入れ替えて、短辺同士をほぼ重ね合わせて、２つ折りにし、上記のとおり長辺にほぼ平行に、下から山折り、谷折りの順で交互に蛇腹状に折った場合においても同様である（図示せず）。また、同様に長方形だけではなく方形を含む四辺形を呈する紙片における向かいあう一方の辺を曲げて、他方の向かいあう辺同士を重ねるように２つ折りし、前記他方の向かいあう辺を一定の間隔で分割した大きさで、かつ、前記一方の向かいあう辺に平行になるように折り、前記折りは、交互に山折り、谷折り、あるいは、交互に谷折り、山折りにして折った場合においても同様に取り出し部を形成することができる。
【００２３】
また、ポケットテイッシュ１０を、複数の重ね合わせた状態であるポケットテイッシュ積層体６０として、収納体５０に収納されているが、従来のポケットテイッシュに対して幅が狭く高さが高い形状、すなわちスティック状を呈しているので、ある程度ポケットテイッシュを使用した状態であっても型崩れしにくく皺になりずらい。また、上述のとおりスティック状を呈しているので、従来の扁平なポケットテイッシュにはない意匠性に富むポケットテイッシュ積層体入りの収納体を提供することができるので、人目につきやすく広告宣伝媒体としても優れている。尚、長辺１３同士をほぼ重ね合わせて、２つ折りにした、本考案に係るポケットテイッシュ積層体６０が収納されている収納体５０の寸法は、８紙片入りの積層体で、長さ約１１センチメートル、幅が約３．７センチメートル、高さが約１．８センチメートルであるが、これに限られないことは云うまでもない。
【図面の簡単な説明】
【００２４】
【図１】紙片を２つ折りした状態の斜視図
【図２】紙片を２つ折りした後さらに蛇腹状に折り畳む図
【図３】蛇腹状に折り畳んだ状態の斜視図
【図４】ポケットテイッシュ積層体を、収納体に収納した斜視図
【符号の説明】
【００２５】
１０  ポケットテイッシュ
１１  紙片
１２  短辺
１３  長辺
１５  取り出し部
２０  山折り
３０  谷折り
４０  最終の折り
５０  収納体
６０  ポケットテイッシュ積層体
【図１】
0003179026.tif 000003
【図２】
0003179026.tif 000004
【図３】
0003179026.tif 000005
【図４】
0003179026.tif 000006